(57)【特許請求の範囲】
【請求項１】
筆記用先端部を有する既製の筆記用具を保持するための格納式のアダプタであって、
前記アダプタは、
遠位端と近位端を有するアダプタ本体と、
少なくとも部分的に前記筆記用具を包囲する前記アダプタ本体内の管腔と、
前記筆記用具の筆記用先端部を通すことを許容する前記アダプタ本体の遠位端の開口部と、
前記筆記用具と接触するように前記アダプタ本体の管腔内に設けられたホルダと、
前記筆記用具と係合接触するように前記ホルダの内側に設けられた接触面と、
前記遠位端に向けての前記ホルダの動きが、前記筆記用先端部を、前記開口部を通して突き出させて筆記のため前記アダプタ本体から露出させ、かつ、前記近位端に向けての前記ホルダの動きが、前記筆記用先端部を、前記開口部を通して引き込み前記アダプタ本体内に隠して保護するよう、前記アダプタ本体内で所定の縦方向の距離内で、選択的に前記ホルダを動かす格納メカニズムとを含み、
前記既製の筆記用具は、インクを保持するインク充填材と、少なくとも６ｍｍの外径を有する外側管状体とを有するペンであり、前記インク充填材を包囲する、
筆記用先端部を有する既製の筆記用具を保持するための格納式のアダプタ。
【請求項２】
前記ペンの前記外側管状体と摩擦係合する、前記ホルダの前記接触面に設けられた弾性材料をさらに含み、
前記弾性材料は、フォーム、ゴム及びプラスチックからなる群から選択される少なくとも１つである、請求項１に記載の既製の筆記用具を保持するための格納式のアダプタ。
【請求項３】
前記格納メカニズムがさらに、
前記ホルダの外壁と前記アダプタ本体の内壁の間に設けられた圧縮コイルばねと、
前記ホルダの外壁上に設置固定され、第１の契合歯セットを備えるストッパと、
前記ホルダの外壁の周囲かつ前記圧縮コイルばね及び前記ストッパの間に設けられ、前記ホルダ周囲の回転運動の範囲と前記ホルダの長さ方向に沿った縦方向運動の範囲を制限する第２の契合歯セットを有するシリンダ部とを含む、
請求項１に記載の既製の筆記用具を保持するための格納式のアダプタ。
【請求項４】
前記格納メカニズムがさらに、
前記アダプタ本体の内壁上に設けられ、リブ、キー溝及び傾斜ポストを有する、溝−リブ組立体と、
前記溝−リブ組立体と係合接触する、前記ストッパ上に設けられた突起と、
前記溝−リブ組立体と係合接触する、前記シリンダ部上に設けられたロックキーセットと、を含む請求項３に記載の既製の筆記用具を保持するための格納式のアダプタ。
【請求項５】
前記アダプタ本体がさらに、
前記アダプタ本体の主本体部に分離可能に結合する分離可能な円錐状先端部を含み、
前記アダプタ本体の遠位端部に設けられた前記開口部は、前記円錐状先端部の狭い端部に設けられ、かつ、
前記圧縮コイルばねの端部は、前記円錐状先端部の内部と当接接触する、請求項４に記載の既製の筆記用具を保持するための格納式のアダプタ。
【請求項６】
前記アダプタ本体が１３．０ｃｍ以下の長さであり、前記管腔が前記ペンを包囲した際、前記筆記用先端部の反対側の前記ペンの近位端が露出して前記管腔内に包囲されず、かつ、それが前記ホルダによって保持されるとき、遠位の方向に向けて前記ペンの前記近位端を押すことで、前記アダプタ本体の前記開口部から、前記ペンの筆記用先端部を突き出すこと、又は引き込むことが生ずる、請求項５に記載の既製の筆記用具を保持するための格納式のアダプタ。
【請求項７】
前記アダプタ本体の遠位端の近くで前記管腔内に設けられた圧縮コイルばねをさらに含み、ペンを少なくとも部分的にアダプタ本体に入れたとき、前記ばねの近位端は、前記ペンの周囲を固定し、前記ペンを前記アダプタ本体の近位端に向けて偏位させ、
前記ペンが前記アダプタ本体の前記管腔内に少なくとも部分的に包囲されるとき、前記ホルダは前記ペンの近位端と当接接触する、請求項１に記載の既製の筆記用具を保持するための格納式のアダプタ。
【請求項８】
前記アダプタ本体は、第１の管状部と第２の管状部とを含み、
前記格納メカニズムはさらに、
前記ホルダの外側に設けられた、第１のセットの契合ねじ刃と、
前記アダプタ本体の第１の管状部の内部に設けられた第２のセットの契合ねじ刃とを含み、
ユーザによってなされた前記第２の管状部に対する前記第１の管状部の回転が、第２の契合ねじ刃が前記第１の契合ねじ刃上を動くことを生じさせ、かつ、前記ホルダが、前記アダプタ本体に対して、前記管腔内で縦方向に動くことを生じさせる、請求項１に記載の既製の筆記用具を保持するための格納式のアダプタ。
【請求項９】
ペンが前記アダプタ本体に保持されるとき、前記ペンの近位端が前記管腔の外側に露出するよう、前記アダプタ本体が１３．０ｃｍ以下の長さであり、かつ、
前記格納メカニズムは、
前記アダプタ本体の管状部の内部に設けられた螺旋トラックを含み、
前記ホルダは前記ペンと固定接触し、
ユーザによってなされた前記アダプタ本体に対する前記ペンの前記露出した近位端の回転により、前記ホルダが、前記アダプタ本体に対して前記管腔内で縦方向に動くことが生じるよう、前記螺旋トラックと協働する、前記ホルダの外側に設けられた、少なくとも１つの突起部を含む、請求項１に記載の既製の筆記用具を保持するための格納式のアダプタ。
【発明の詳細な説明】
【技術分野】
【０００１】  本発明の分野は筆記用具であり、より具体的には、筆記用具をアダプタ内に部分的または完全に引き込み可能に保持する筆記用具保持アダプタである。
【背景技術】
【０００２】  通常のペンは、ペンが筆記のために使用されないとき筆記用先端部が保護されるように、キャップ付きで販売されている。キャップ付きの典型的ペンは、筆記用先端部を保護することで比較的効果があるとは言えるが、いくつかの問題点がある。第１に、ユーザがペンのキャップをなくしてしまうと、服に染みを付けることなくペンをそのポケットに入れて持ち歩くのが難しくなる。第２には、通常のペンではキャップを付けたり外したりするためには、ユーザは両手を用いる必要がある。ユーザが別の物（例えば、クリップボード）を持つために片手を用いる必要がある場合、これは特に難しい。第３には、キャップがなくなると、露出した先端によって、ユーザが自分や他人を傷つけるおそれがある。【０００３】  キャップを用いることなくペンの筆記用先端部を保護するために一般に知られている方法としては、ボールペンとインク充填材をペン本体に引き込み得るような引き込みメカニズムの使用が挙げられる。たとえば、ボタンを押して筆記用先端部を引き込むものとしてノック式ペンが一般的に用いられている。また、捻って引っ込めるタイプのメカニズムも知られている。これは、ペンの外殻部内でインク充填材とボールペンを縦方向に動かすものである。このタイプのペンによって、ユーザは片手でボールペンの引き込み／引き出しができるため、もう片方の手で他の作業ができる。しかし、これらのタイプの格納式のペンは、多数の望ましい特性を有する反面、キャップ付きの普通のペンより通常高価である。従って、企業が事務用品の購買決定をする場合、ノック式ペンの代わりに普通のキャップ付きペンを買う傾向がある。【０００４】  従業員が普通のペンを使って彼らの衣服に染みを付けるのを防いだり、もっと重要なことに怪我をするのを防ぐ安全メカニズムとして役に立つような、費用効果がよい方法で筆記用具の筆記用先端部を保護する新しい方法が継続して求められている。【０００５】  すべての本願において参照する旨の文言のある特許、出願及び文献は、その全体が参照によって本願に組み入れられる。なお、参照されている文献中における用語の定義や用法も、参照によって本願に組み入れられるが、それが、本願で規定するそうした用語の定義と一致しなかったり矛盾する場合は、本願で規定するそうした用語の定義が適用され、参照文献中におけるそうした用語の定義は適用されない。
【先行技術文献】
【特許文献】
【０００６】
【特許文献１】米国特許第６，２８０，１１０号
【発明の概要】
【発明が解決しようとする課題】
【０００７】  本発明は、上記の課題の一つ以上を満たそうとするものである。本発明が上記の課題の一つ以上を解消するものであるが、発明の態様によっては必ずしもそれをすべて解消するわけではないという点を理解すべきである。
【課題を解決するための手段】
【０００８】  筆記用具用アダプタの改良された実施態様を、以下に開示する。概括的に言えば、本願の考え方は、アダプタは普通のペンまたは鉛筆を包囲可能であり、普通のペンまたは鉛筆をノック式ペン／鉛筆または捻って格納するタイプのペン／鉛筆に変えることができるような大きさとサイズとしたアダプタを提供することである。アダプタは、他のタイプの筆記用具にも適合する。このようなアダプタは特に、経済的及び安全上の理由から事業主は従業員用に普通のペンと鉛筆だけを購入するのを好むが、従業員は片手だけを使って簡単に格納できるペンと鉛筆を用いるのを好む事業所で有用である。ここに開示する発明の主題を使って、そのような企業の従業員は、普通のボールペンのキャップを取り去り、次いで、当該普通のペンをアダプタに挿入して使用する。アダプタ内にきちんと装着しさえすれば、普通のペンを包囲するアダプタは基本的にノック式または捻って引き込むペンに変わる。このアダプタは、何度も再利用できる。これにより、ユーザは、片手だけを使って、普通のペンまたは鉛筆の筆記用先端部を簡単に引き込み引き出すことができる。【０００９】  実施態様によっては、アダプタは筆記用具がアダプタの外側に部分的に露出するような短さでもよい。筆記用先端部とは反対側のペンの端が露出するとき、ユーザはキャップを取っておいて当該端部にキャップをして、キャップを前側シャツポケット用のクリップとして使用し続けるもよい。
アダプタの他の実施態様は、直径の異なる様々なペンを持つために利用できる。考え得る別に実施態様においては、少なくとも２つの異なるブランド／直径のボールペンを保持できるように、アダプタはユニバーサルデザインを持つ。
アダプタは、筆記用具の引き込み／引き出しにはノック式ペンタイプのメカニズムを使用できるし、他のタイプのメカニズムも考えられる。たとえば、アダプタにはツイスタペンタイプ（ローテータタイプとも呼ばれる）のメカニズムを用いることができる。既知のツイスタペンは、ユーザがペン本体の一部を捻ってボールペン補充部の先端を引き込み／引き出すペンである。
当業者は、本願において、ボールペン先端を引き込み／引き出すメカニズムについては、他の多くの既知のメカニズムが、保持及びアダプタからの筆記用先端部の引き込み／引き出しに用い得ることを直ちに理解するであろう。
【図面の簡単な説明】
【００１０】
【図１】第１の実施態様のアダプタの斜視図（筆記用先端部が引き出されているものと筆記用先端部が引き込まれているもの）である。
【図２】アダプタから筆記用具を取り除いた状態の、第１の実施態様のアダプタの斜視図である。
【図３】ペンを含む第１の実施態様のアダプタの分解図である。
【図４】第１の実施態様のアダプタのホルダの側面図である。
【図５】第２の実施態様の側面図であり、筆記用先端部だけが露出し、全体がアダプタ内に包囲されるペン（点線で示す）を備えたアダプタを示す。
【図６】ペンを含むアダプタの第２の実施態様の分解図である。
【図７】従来技術のペンリフィルの斜視図である。
【図８】アダプタの第３の実施態様のためのホルダの別の実施態様の斜視図である。
【図９】部分的に包囲されたペンを含むアダプタの第４の実施態様の斜視図である。
【図１０】ペンを含むアダプタの第４の実施態様の分解図である。
【図１１】第４の実施態様のアダプタ本体、ホルダ及びスライダの縦断面図である。
【図１２】第４の実施態様のホルダとスライダの縦断面図である。
【図１３】別の実施態様のホルダとスライダの縦断面図である。
【図１４】ホルダとスライダの横断面図である。
【図１５】ペンを含むアダプタの第５の実施態様の分解図である。
【図１６】ペンを含むアダプタの第６の実施態様の分解図である。
【発明を実施するための形態】
【００１１】本発明とその様々な実施態様は、以下の好適実施態様の詳細な説明によってよりよく理解できる。これらは特許請求の範囲において規定される発明の実施例として示される。特許請求の範囲によって定義される発明が、下記の実施態様よりも広い範囲を含むことは明確に理解される。また、図面が簡略化された形で示されており、正確なスケールに従ったものでないことは注意すべきである。本願による開示に関して、便宜上及び明快さの目的のため（そのためだけに）、方向に関する語（例えば、上部、底部、左、右、上、下、上方、下方、前、後、遠位及び近位）は添付図面に関して用いる。特定の規定がない場合、そのような方向を示す用語は、いかなるかたちでも本発明の範囲を限定するものと考えてはならない。
【００１２】本発明の精神及び範囲から外れることなく、多くの変更及び修正が、当業者によってなされ得る。従って、説明する実施態様は例のためだけに述べられたものであり、以下の特許請求の範囲によって規定される発明を限定するものと考えてはならない。たとえば、特許請求の範囲の要素が下記において特定の組合せで述べられるという事実に関係なく、本発明は、本願で開示される、より少なくまたはより多い、異なる要素の他の組合せを含むと明確に理解されなければならない。これは初めからそのような組合せが特許請求の範囲されていないときでも同様である。
【００１３】本発明及びその様々な実施態様を説明するためにこの明細書で使われる単語は、それらの一般に所定の意味だけではなく、一般に所定の意味の範囲を越えて、本願明細書における特別な定義によって構造、材料または行為を含むものである。従って、ある要素がこの明細書の前後関係で複数の意味を含むように理解できる場合、特許請求の範囲におけるその使用は、明細書によって、及び、語そのものによって裏付けられるすべての可能性のある意味に、上位概念において理解されなければならない。
【００１４】従って、以下の特許請求の範囲における用語または要素の定義は、文字通り述べられる要素の組合せだけでなく、実質的に同じ結果を得るため実質的に同じ機能を果たし得るように実質的に同様に行うための、すべての等価な構造、材料または行為を含む。従って、この意味で、下記特許請求の範囲において要素のいずれか１つについて２つ以上の要素の等価な置換がなされる得ること、あるいは、１つの要素が特許請求の範囲において２つ以上の要素の置換され得ることが考えられる。要素が特定の組合せで働くように記載されるとしても、またそのように初めに特許請求の範囲に記載されるとしても、特許請求の範囲に記載された組合せから一つ以上の要素を削ることが可能な場合もあり、また、特許請求の範囲に記載された組合せが下位の組合せまたは下位の組合せの変形を対象とすることもあり得る点は明確に理解されるべきである。
【００１５】本願において、普通のペンと関連して用いる「充填部」という用語はインクを保持する通常の管状貯蔵部を指す。充填部は、通常、筆記用先端部（例えばボールペン先端部）に結合する。「充填部」を説明するために本願で使用され得る他の用語は、「リフィル」および「カートリッジ」である。充填部は、通常、プラスチック外側チューブ内に包囲される。
【００１６】
たとえば、図３は米国内の小売店で、一般に入手できるペン２を表す。図３に示すのは、プラスチック製の外側チューブのみである。図示していないが、プラスチック外側チューブ内に包囲される透明な充填部がある。本願において、「既製の筆記用具」という用語は小売店で一般に商品として販売されている筆記用具を指す。そのような筆記用具は、さらに何かを取り付けたり組み立てたりすることなく、購入と同時に消費者が使用できるよう準備ができている。従って、「既製の筆記用具」はペンリフィルまたはペンフィラーを指すものではない。たとえば、「既製の筆記用具」は図３に示すようなペン２及びレッド（芯）部を有する木製鉛筆などが挙げられる。
【００１７】
図１は、アダプタ１の好適実施態様を一般的に表したものである。図１においてアダプタ１は、普通のペン２をアダプタの管腔に挿入して状態で示してある。左側のアダプタ１では、ペン２の筆記用先端部３が遠位の開口部５２を通して延びている。右側のアダプタ１は同じペン２をアダプタ１の管腔内に納めた状態であり、ペン２の筆記用先端部３はアダプタ１内に引っ込められた状態にある。
【００１８】
図２は、普通のペン２とアダプタ１を並べて示したものである。アダプタ１の好適実施態様は、異なる種類のペンを収容できる。たとえば、図２の中の同じアダプタ１はペンを収容できる、そして、ペン２は木製鉛筆と交換できる。
【００１９】図３は、アダプタ１とペン２の組立てを例示する。ここでは、本発明の短いタイプの実施態様を示す。格納式のアダプタ１であるこの短いタイプの実施態様は、筆記用先端部３を有する既製の筆記用具２を保持するためのものである。  アダプタ１は、部分的に筆記用具２を包囲する目的で、アダプタ本体１１０を備えており、これはアダプタ本体１１０内に遠位端、近位端及び管腔１１１を備えている。
【００２０】アダプタ本体１１０の末端には開口部１５２があり、ここを筆記用具の筆記用先端部を通すことができる。アダプタ本体１１０の近位端にも開口部１５３があり、ここを筆記用具の近位端を通すことができる。好ましくは、アダプタ本体１１０の末端領域の開口部１５２は取り外し可能なものである。図３において、この末端領域は、取り外し可能な円錐状先端部１５０である。この円錐状先端部１５０は、主本体部１１３の遠位端に設けられたネジ切り部１１２によって、アダプタ本体１１０の主本体部１１３に再び付けられることができる。主本体部１１３から円錐状先端部１５０を分離するには、単に円錐状先端部１５０を捻ればよい。
【００２１】組み立て後は、円錐状先端部１５０の内部で圧縮コイルばね１４０と当接状態で接触する。
【００２２】
アダプタ本体１１０の管腔１１１は、ホルダ１２０を含む。ホルダ１２０の目的は、筆記用具２と確実に接触するためである。ホルダ１２０を縦に動かすと筆記用先端部３を、アダプタ本体１１０の遠位の開口部１５２から引き出しまたは引き込むように、ホルダ１２０は筆記用具２を確実に把持できる。
【００２３】効果的に筆記用具２と係合接触するために、ホルダ１２０の内側１３６は、確実な接触を容易にするために必要な構造、テクスチャ及び／または材料を必要とする。好ましくは、確実な接触は非永久的で、ユーザが筆記用具２を新しい筆記用具２と交換したいとき、筆記用具２をホルダ１２０からすぐに取り出し得る。最も好適な実施態様において、ホルダ１２０の内側１３６の直径は、一端の方に向けて狭くなる。さらにより望ましくは、筆記用具２との確実な結合を助けるために、直径は近位端に向けて狭くなる。
【００２４】
考え得るアダプタ１は、少なくとも６ｍｍ、より好ましくは７ｍｍ以上の外径の外管状本体を備えている筆記用具を確実に保持するために好ましくはホルダ１２０を備えている。従来技術には様々な格納式のペンがあるが、それらはペンフィラーを格納するように設計されている。さらにまた、むしろ小直径のペンフィラーを有するものが知られている。典型的ペンフィラーは、およそ３．５ｍｍの外径を有する。３．５ｍｍは、筆記用先端部３の反対側の開口部からインクがペンフィラーより流出しないようにするために十分な毛管作用を保持する良いサイズであることは、本技術分野では常識である。従来技術の格納式のペンは様々な直径を有するものがあり、通常のサイズのペンを含むのに十分に大きな内部空間を有するものもあるかもしれない。しかし、そのような大きい格納式のペンは、通常のサイズのペンを確実に保持するとともに筆記用先端部の適切な引き込み引き出しを可能にするのに必要な部分を持たない。従来技術の格納式のペンはその直径がどんなに大きくても、そのような格納式のペンは常に充填部と同じサイズを有する。５ｍｍ以上の直径の充填部を保持できる格納式のペンを有することは、むしろ望ましくなく予想外である。さらに、従来技術の格納式のペンは、大きな充填部は、インクを保持するために十分な毛管の力がなくなるので好ましくないと教示する。従って、従来技術の格納式のペンは、そのような大きな充填部を保持することができない。さらに、当業者は、別の通常のサイズのペンを保持できる格納式のペンを有する必要がわからない。当業者は、そのような考えが無駄で、構成要素の数を増して高くつき、望ましくないペンと考える。
【００２５】１つの実施態様において、ホルダ１２０は摩擦でペン２の外の管状のボディと係合するために、ホルダ１２０の内壁上に接触面１３６を有する。摩擦係合を容易にするために、この接触面は、弾性材料を有することができる。たとえば、弾性材料は、フォーム、ゴムとプラスチックである。弾性材料を設ける代わりに、または、弾性材料を設けるのに加えて、接触面１３６は筆記用具２を確実に中心に位置させるのを助けるために、特定のテクスチャまたは構造を有するものとしてもよい。たとえば、鋸歯状の突起、隆起させた突起、隆起させた条線その他の任意の既知の方法もあり得る。別の考えられるデザインは、ホルダ１２０に筆記用具２の確実な係合を容易にするために、ホルダ１２０が先細の内部表面（例えば、直径を狭くする）を有するものである。
【００２６】管腔１１１内に配置された筆記用具２を格納するために、アダプタ１の遠位端に向けてのホルダ１２０の動きは筆記用先端部３が開口部１５２を通して突き出し、書くためにアダプタ本体１１０から公開される原因になるように、アダプタ１はアダプタ本体１１０内で所定の縦の距離内で選択的にホルダ１２０を動かすために格納メカニズムを備えている。同様に、近位端に向けてのホルダ１２０の動きは、筆記用先端部３が開口部１５２を通して引き込みされて、隠されて、アダプタ本体１１０内で保護されている原因になる。そして、図３で示すようにある場合には、筆記用先端部３は引き込まれて円錐先端１５０（それはアダプタ本体１１０組立体の一部である）内に隠される。
【００２７】多種多様な格納メカニズムを用いることができる。米国特許第６，２８０，１１０号で開示されるように、１つの好適実施態様は既知のはね上がり装置の原則を使っている格納メカニズムを利用する。そして、それは完全に参照によってここに組み込まれる。
【００２８】図３において、格納メカニズムは、ホルダの外壁とアダプタ本体の内壁の間に配置された圧縮コイルばね１４０を備えている。図３はアダプタ１分解時のバネ１４０を表す。図３においてバネ１４０はホルダ１２０の管状本体の回りに巻きつくのに十分大きい直径を有する。  一旦組み立てられると、バネ１４０はホルダ１２０の上に行く、そして、その近位端はシリンダ第１２８部に寄りかかる。シリンダ第１２８部は、ホルダ１２０の外壁のまわりで、そして、ストッパ１２４とバネ１４０の間で配列される。バネ１４０がシリンダ第１２８部に寄りかからないとき、シリンダ第１２８部はホルダのあたりの回転運動の自由な範囲とホルダの体長に沿った縦の運動の自由な範囲を有する。他方、ストッパ１２４は、固定されて、ホルダ１２０の外壁に設けられた。ストッパ１２４は、その遠位端であっている第１のセットの歯１２５を備えている。
【００２９】
バネ１４０の目的は、近位端に向けて筆記用具２を偏らせることである。バネはシリンダ第１２８部に押し迫ることによってこれをする。そして、それは順番にストッパ１２４に押し迫る。ストッパ１２４がホルダ１２０に取り付けられるので、活動中のバネ１４０は近位端に向けて筆記用具２を偏らせる。
【００３０】バネ１４０の別の目的は、ストッパ１２４と溝−リブ組立体１１４と係合するためにシリンダ第１２８部を偏らせることである。はね上がり装置について米国特許第６，２８０，１１０号で開示されるように、当業者はこの係合の目的をすぐに認める。
【００３１】
図３と４において、シリンダ部１２８は、ストッパ１２４と交合している歯の第１セットと接触するために、あっている歯１３１の第２セットをする。米国特許第６，２８０，１１０号で開示されるように、これらの部品の目的ははね上がり装置用の技術で一般に知られている。
【００３２】図４を参照すると、既製の筆記用具を保持するための格納式のアダプタ１は、溝−リブ組立体にはリブ１１５、キー溝１１６と傾斜ポスト１１７を有するアダプタ本体の内壁に設けられた溝−リブ組立体１１４を備えている。米国特許第６，２８０，１１０号で開示されるように、これらの部分の目的と構造ははね上がり装置用の技術で一般に知られている。
【００３３】図４を参照すると、ストッパ１２４は溝−リブ組立体１１４と接触係合するために、第１のストッパ１２４に設けられた一組の突起１２６を有する。  また、米国特許第６，２８０，１１０号で開示されるように、これらの部品の目的と作動ははね上がり装置用の技術で一般に知られている。
【００３４】好適実施態様において、アダプタ本体１１０は１３．０ｃｍ以下であり、管腔が筆記用具２を包囲するように、筆記用先端部３の反対側の筆記用具の近位端は管腔１１１の中で露出して、包囲されない。このように、筆記用具２の近位端を圧迫して、それがホルダによって保持されるとき、１２０は、遠位の方向に向けて、ペンの筆記用先端部３を引き出すか、アダプタ本体１１０の開口部１５２から引き込みする原因になる。図１を引用して、アダプタ１は筆記用具２より短い全長を有することができる、そのため、筆記用具２の近位端は押しボタンの働きをする。また、ユーザがそのシャツポケットにアダプタをクリップ留めするためにキャップを使い続けることができるように、ユーザは筆記用具２の原型のキャップをその近位端に置くかもしれない。
【００３５】
図５及び６には、アダプタ１の別の実施態様を示す。全ての筆記用具２がアダプタ１内に包囲されるようにアダプタ本体２１０が十分に長いこと以外は、この実施態様は図１〜４に示される概念と類似している。全ての筆記用具が包囲されるので、露出する唯一の部分は筆記用先端部３である。一般に知られているように、この実施態様ははね上がり装置を用いる、そして、プッシュキャップ２２７は提供されて、ストッパ２２４の一番上の端に結合する。また、当業者がすぐに認めて、シリンダ部２２８にはシリンダの一番下の開口部を通して第２２４部をシリンダ第２２４部のくぼんだ内部に書き入れる最高の端部を有する。図６も、リングキャップ２３１がネジ切り部によってアダプタ１の上部から取り外せることを示す。はね上がり装置は、アダプタ本体２１０の内壁上に溝−リブ組立体を含む。
【００３６】
図１〜６において、溝−リブ組立体２１４は、筆記用具２に結合するシリンダ部２２８とストッパ２２４と協力するために、アダプタ本体２１０の内壁に置かれる。これらの部品は、同じ結果を成し遂げる逆順に配置できる。たとえば、シリンダ部２２８とストッパ２２４をアダプタ本体２１０の内壁に設け、溝−リブ組立体２１４を筆記用具２に結合させることができる。
【００３７】図７は従来技術の格納式のペンリフィル５を例示する、本体６は金属チューブインク貯蔵部であり、先細りになっており、ボールポイント先端８を有する。リフィルの近位端は、青いプラスチック溝−リブ端部７である。このプラスチック溝−リブ端部７は、本体６から容易に取り外すことができない。また、リフィルの不可欠な部分となるサイズ及び寸法とされる。本体６から分離可能なことは、このプラスチック溝−リブ端部７のために好ましくない。
【００３８】
図８は、ホルダ３２０が発明の主題のさらに別の好適実施態様において使われることを示す。ホルダ３２０はアダプタ本体に配置されていて、接している筆記用具２の近位端と接触するために、下端３７０を有する。図６で示す組み立てと同様で、普通のペン２は近位端に向けてスプリング２４０までにバイアスされる、そして、シリンダ部２２８（図６で示すストッパ２２４）の配列を用いる代わりに、ホルダ３２０は図７の従来技術リフィル５に類似した方向で筆記用具２の近位の先端に連絡するために配置される。ここでは、ユーザが普通のペン２を新しい普通のペン２と自由に交換できるように、ホルダ３２０はすぐに分離可能である。ホルダ３２０の下端３７０は、接触面を有する。この接触面は、弾性材料を有することができる。たとえば、弾性材料は、フォーム、ゴムやプラスチックとすることができる。弾性材料を設ける代わりに、または、弾性材料を設けるのに加えて、接触面１３６は筆記用具２を確実に中心に位置させるのを助けるために、特定のテクスチャまたは構造を有するものとしてもよい。たとえば、鋸歯状の突起、隆起させた突起、隆起させた条線その他の任意の既知の方法もあり得る。
【００３９】
図８で示すように、下端３７０ははしご構造に似ている２つの円形のインデントを有する。第１の円形のインデント３７１は、ペンの近位端直径と実質的に同じ直径を有する。より小さくてより深い円形のインデント３７２は、ペンの近位端直径と実質的に同じ直径を有する。そのようなデザインは、仕事場所で一般的に用いられる２種類以上の異なるペンにすぐに合うことができる万能のホルダ３２０を提供する。
【００４０】
図９〜１４には、アダプタ１の別の実施態様を示す。格納メカニズムが異なること以外は、この実施態様は図１〜８に示す概念と類似している。ここでは、アダプタ本体４１０は分離可能な円錐状先端部４５０を含む、そして、円錐状先端部４５０は通過する筆記用具２の筆記用先端部３の狭くなる開口部４５２を有する。図９は、ペンを収納したアダプタ１を表す。点線はアダプタ本体４１０内にあって確実にペン２を保持しているホルダ４２０を示す。
【００４１】図１０は、ペン２がホルダ４２０の管腔４３６を通してまず挿入されて、この出願で論じられる方法によってホルダ４２０に確実に結合することを示す。ホルダは、それからアダプタ本体４１０に挿入される。４３０、４３２、４３４と４３６によって定義されるように、ホルダはトラックと協力するためにスライダ４２２を有する。ユーザはスライダ４２２を用いてホルダ４２０を滑動させることができる。そして、それによって遠位の開口部４５２を通してペン２の筆記用先端部３を突き出したり引っ込めたりする。
【００４２】図１１〜１４は、スライダ４２２がどのようにすべって、トラックに関して位置のロックすることを可能にするかについて説明する。ここでは、スライダ４２２はステム４２４に結合する、そして、ステムはブロック４２４に結合する。ステム４２４は比較的柔軟である、そして、ユーザが数字で示すように下への方向でスライダ４２２を押すように、望ましくはプラスチックでできて、スライダ４２２が現在次の位置まで下がるかもしれないように、ステム４２４は平面から、そして、領域との接触からブロック４２４を曲げて、このように動かす。類似した構造は、格納式の消しゴム用の技術で知られている。シェに対し発行された米国特許第６，７７３，１８５号；英国特許番号７５５，８７９；  ハリスに対し発行された米国特許第４，１６７，３５０号、；米国イトウに対し発行された意匠特許番号３８６，５２６は；グロッチに対し発行された米国意匠特許番号３０３，９９２；ステージマンに対し発行された米国特許第５，０４８，９８９号に教示されるもののような、他の既知のスライダ組立体を用いることもできる。これらはその全体が参照によって本願に組み込まれる。
【００４３】
図９及び１０の実施態様は、筆記用具２より短いアダプタ１を示すが、別の実施態様は完全に全ての筆記用具２を包囲するために十分に長くアダプタ本体４１０を有するために考えられる。そのような実施態様は、図１６に示される一番上のアダプタ本体に類似した一番上のアダプタ本体を提供する。図１５及び１６には、ツイスタータイプ実施態様は、普通の既製の筆記用具を設置した状態を示す。
【００４４】図１５では、ホルダ５２０は２つの開口端を備えた中空シリンダ構造である。ホルダ５２０は、確実にペン２の中央の部分を有する。以前この出願で論じられる他のホルダと同様で、ホルダ５２０は十分にペン２を固定する望ましい構造や材料の内部の接触面を有するので、ペンはホルダ５２０から自由にすべらない。
【００４５】一旦ホルダ５２０によって確保されるならば、ペン２とホルダ５２０はアダプタ本体５１０の中空の管腔への挿入物である。ホルダ５６１はその外壁に設けられたネジ切り部５６１を備えている。そして、アダプタ本体５１０の内壁に設けられたネジ切り部５６２と協力する。動作において、図３の実施態様において議論されるように、アダプタ本体５１０は同じように大きさを設定される、このように、ペンの近位端はアダプタ本体５１０から配列される。筆記用先端部３を引き出すか引き込むために、ユーザはアダプタ本体５１０に対してペン２の近位端を捻るだけでよい。
【００４６】図１６は図１５で示すように実施態様の改善を例示するが、アダプタは全ての筆記用具２を包囲するように設計されている。ここでは、アダプタトップ体６１８が、ペン２の近位端の上に、キャップに使われる。また、ホルダ６２０はアダプタ本体６１０の外側に及ぶために、十分に長い。６２０の露出部分は、アダプタトップ体６１８の内面に連絡することである。ユーザが一番上の体５１８を捻るように、一番上の体６１８は確実に接触をホルダ６６１と係合する、それは縦方向にホルダ６６１を動かすために順番にホルダ６６１をねじる。このように、一旦取り付けられるならば、一番上の本体６１８はアダプタ本体６１０に関して自由に回転する。
【００４７】ここに明らかにされる実施態様の全ては、適当な天然または合成の材料を含み得る。ゴム及び／またはゲルグリップのような適当なエルゴノミクスデザインや材料がアダプタ本体の外側として快適さを提供して、ずれに対してユーザの指を妨げるのに用いられるかもしれないことは、さらに考えられる。
【００４８】このように、筆記用具のためのアダプタの特定の実施態様とアプリケーションは、開示する。すでに記載されるそれらの他のより多くの修正がこの中の発明の概念から離れることなく可能であることは、しかし、当業者にとって明らかでなければならない。本発明の主題は、従って、添付の特許請求の範囲の精神を除いて制限されないことになっている。さらに、明細書と特許請求の範囲を解釈する際に、すべての用語は前後関係と一致した最も幅広い考えられる方法で解釈されなければならない。特に「含む」という用語、そして、要素、構成要素または排他的でない方法におけるステップを指すように、「成立する」ことは解釈されなければならない。そして、リファレンスをつけられた要素、構成要素またはステップが存在するかもしれないか、利用されるかもしれなくて、他の要素、構成要素または明確にリファレンスをつけられないステップと組み合わさったことを示す。人によって当該技術分野（現在知られているか、後で考案される）の普通の技術で見られる特許請求の範囲に記載された主題からの実体のない変化は、特許請求の範囲内で等しくしながら、明確に考えられる。従って、現在明らかな代用以降中で普通の技術をもつものにとって、当該技術分野が定義済み要素内であるために規定されることを知っている。特許請求の範囲は、このように、特に例示されて、上で記載されること、概念的に等しいこと、明らかに、代えられることができること、さらには基本的に発明についての重要な考えを取り入れることを含むために理解されることになっている。さらに、明細書及びクレームが、Ａ、Ｂ、Ｃ…及びＮからなる群から選択される何かのうちの少なくとも１つを指す場合、当該文章は、ＡプラスＮ、ＢプラスＮ等ではなく、群の中１つの要素だけを必要とすることと解釈されなければならない。
【図１】
0005449191.tif 000002
【図２】
0005449191.tif 000003
【図３】
0005449191.tif 000004
【図４】
0005449191.tif 000005
【図５】
0005449191.tif 000006
【図６】
0005449191.tif 000007
【図７】
0005449191.tif 000008
【図８】
0005449191.tif 000009
【図９】
0005449191.tif 000010
【図１０】
0005449191.tif 000011
【図１１】
0005449191.tif 000012
【図１２】
0005449191.tif 000013
【図１３】
0005449191.tif 000014
【図１４】
0005449191.tif 000015
【図１５】
0005449191.tif 000016
【図１６】
0005449191.tif 000017